(57)【要約】【課題】メッセージが記入される台紙と、台紙の上に貼着されてメッセージを覆い隠すカバーフィルムとの組み合わせによって、統一感を有する意匠を呈示する。【解決手段】メッセージカードＭは、表面に、書き込み可能なメッセージ領域１ａと第１の意匠Ｄ１を呈する意匠層２とを有する台紙１と、台紙１表面に一部が貼り付けられて積層されるカバーフィルム１０とを備える。カバーフィルム１０は、透明な基材シート層１１と、基材シート層１１の表面に形成される第２の意匠Ｄ２を呈する不透明なスクラッチ層１２と、基材シート層１１の裏面に形成された粘着剤層１３と、粘着剤層１３を覆う剥離シート層１４とを有する。台紙１とカバーフィルム１０との積層状態において、台紙１の第１の意匠Ｄ１とスクラッチ層１２の第２の意匠Ｄ２とによって、統一意匠Ｄ３が呈示される。【選択図】  図１
2017080968.tif 000002
【特許請求の範囲】
【請求項１】
台紙と、台紙表面に一部が貼り付けられて積層されるカバーフィルムとを備えるメッセージカードであって、
前記台紙は、表面に、書き込み可能なメッセージ領域と、印刷によって形成された第１の意匠を呈する意匠層とを有し、
前記カバーフィルムは、透明な基材シート層と、基材シート層の表面にスクラッチ印刷により形成され積層状態で少なくとも前記メッセージ領域を覆う第２の意匠を呈する不透明なスクラッチ層と、基材シート層の裏面に形成された粘着剤より成る粘着剤層と、粘着剤層を覆う剥離可能な剥離シート層とを有し、
前記台紙と前記カバーフィルムとの積層状態において、前記台紙の第１の意匠と前記スクラッチ層の第２の意匠とによって、統一意匠が呈示されることを特徴とするメッセージカード。
【請求項２】
前記基材シート層が、第３の意匠を呈する印刷層をさらに有し、
前記台紙と前記カバーフィルムとの積層状態において、前記台紙の第１の意匠、前記スクラッチ層の第２の意匠、および前記基材シート層の第３の意匠によって、統一意匠が呈示されることを特徴とする請求項１に記載のメッセージカード。
【請求項３】
前記剥離シート層が、第４の意匠を呈する印刷層を更に有することを特徴とする請求項１または２に記載のメッセージカード。
【請求項４】
前記台紙が、裏面に印刷層をさらに有することを特徴とする請求項１〜３のいずれか１項に記載のメッセージカード。
【発明の詳細な説明】
【技術分野】
【０００１】
本発明は、台紙に記入したメッセージ内容を、不透明なスクラッチ印刷層を形成したカバーフィルムで隠すことができ、スクラッチ印刷層を削り取ることによって、特定の人だけにメッセージ内容を開示できるように構成されたメッセージカードに関する。
【背景技術】
【０００２】
用紙に記入したメッセージを特定の人だけが読めるようにする技術が、特許文献１および特許文献２に記載されている。特許文献１には、透明な粘着シートの表面に銀ペーストを用いて爪先等で簡単に剥ぎ取ることができる不透明な薄膜をコーティングした目隠しシールが記載されている。この目隠しシールは、紙片に記入したメッセージの上から貼り付けることによって、不透明な薄膜でメッセージを覆い隠すことができる。そして、必要時には薄膜を爪先等で除去することによって、透明な粘着シートを通してメッセージを読み取ることが可能になるというものである。
【０００３】
特許文献２には、透明な合成樹脂シ−トから成る基材シ−トの表面に、後から爪等で削り取れる銀色等の不透明なマスク印刷を施し、その上に透明な合成樹脂シ−トから成る保護シ−トを剥離可能に貼着し、基材シートの裏面に、粘着剤を塗布し、台紙シ−トにその複数枚を剥離可能に貼着できるようにしたスクラッチシールが記載されている。このスクラッチシールを、はがき等に記載した文章等の中で、不特定の他人に読まれたくない部分、相手を驚かせたい部分、または抽選の当選番号や当り外れを記載した部分等に貼りつけて隠し、はがきの受取人が保護シ−トを剥離し、マスク印刷部分を爪等で削り取れば、記載内容を読み取ることができるというものである。
【先行技術文献】
【特許文献】
【０００４】
【特許文献１】実開平５−５５１７２号公報
【特許文献２】実開平６−５５７６２号公報
【発明の概要】
【発明が解決しようとする課題】
【０００５】
特許文献１の目隠しシールおよび特許文献２のスクラッチシールはいずれも、メッセージを隠し、あとから爪先等で削り取ることができる不透明な印刷部分を有しており、各特許文献１，２の実施形態には、不透明な印刷部分を円形やハート形にすることが記載されている。
【０００６】
しかしながら、特許文献１の目隠しシールおよび特許文献２のスクラッチシールが貼り付けられる用紙については、特に意匠上の工夫はなされていなかった。したがって、用紙と、目膜しシールまたはスクラッチシールとの組み合わせによって意匠性を向上させることは、まったく考慮されていなかった。
【０００７】
本発明は、メッセージが記入される台紙と、台紙の上に貼着されてメッセージを覆い隠すためのカバーフィルムとの組み合わせによって、統一感を有するまとまりを持つ意匠を呈示することが可能なメッセージカードを提供することを目的とする。
【課題を解決するための手段】
【０００８】
本発明が、前記目的を達成するために創案したメッセージカードの特徴とするところは、台紙と、台紙表面に一部が貼り付けられて積層されるカバーフィルムとを備えるメッセージカードであって、
前記台紙は、表面に、書き込み可能なメッセージ領域と、印刷によって形成された第１の意匠を呈する意匠層とを有し、
前記カバーフィルムは、透明な基材シート層と、基材シート層の表面にスクラッチ印刷により形成され積層状態で少なくとも前記メッセージ領域を覆う第２の意匠を呈する不透明なスクラッチ層と、基材シート層の裏面に形成された粘着剤より成る粘着剤層と、粘着剤層を覆う剥離可能な剥離シート層とを有し、
前記台紙と前記カバーフィルムとの積層状態において、前記台紙の第１の意匠と前記スクラッチ層の第２の意匠とによって、統一意匠が呈示されることである。
【０００９】
また本発明に係るメッセージカードは、前記基材シート層が、第３の意匠を呈する印刷層をさらに有し、前記台紙と前記カバーフィルムとの積層状態において、前記台紙の第１の意匠、前記スクラッチ層の第２の意匠、および前記基材シート層の第３の意匠によって、統一意匠が呈示されることを特徴とする。
【００１０】
さらに本発明に係るメッセージカードは、前記剥離シート層が、第４の意匠を呈する印刷層を更に有することを特徴とする。
【００１１】
さらに本発明に係るメッセージカードは、前記台紙が、裏面に印刷層をさらに有することを特徴とする。
【発明の効果】
【００１２】
本発明に係るメッセージカードによれば、スクラッチ層に意匠性を持たせ、台紙の意匠と組み合わせることによって統一意匠が呈示されるように構成したので、従来よりもデザイン性の高い製品を提供できる。
【００１３】
カバーフィルムの一部が台紙表面に貼り付けられることにより、カバーフィルムは台紙に対して位置決めされる。したがって、台紙とカバーフィルムとを積層状態にして、台紙の第１の意匠と、カバーフィルムのスクラッチ層による第２の意匠とにより統一意匠を呈示する際に、第１意匠と第２意匠との相対位置にずれを生じさせるおそれがないから、あらかじめ設計した通りの統一意匠を確実に形成することができる。
【００１４】
また本発明によれば、基材シート層に第３の意匠を設け、これを、台紙の第１の意匠およびスクラッチ層による第２の意匠と組み合わせて統一意匠を呈示するから、メッセージカードのデザイン性を一層高めることができる。
【００１５】
また本発明によれば、剥離シート層に設けた第４の意匠は、メッセージカードの使用時に剥離シート層が剥離されると同時に、メッセージカードから除去される。したがって、メッセージカードの使用前後で、意匠に大きな変化を与えることが可能である。
【００１６】
また本発明によれば、台紙の裏面に印刷層を設けることによって、台紙裏面に情報表示などの機能を付加したり、氏名記入欄としての使用などの用途を追加したりすることができる。
【図面の簡単な説明】
【００１７】
【図１】本発明に係るメッセージカードの一実施形態を示すものであって、図（Ａ）は使用前の状態における一部を省略して拡大した側面断面図、図（Ｂ）は使用前の状態の斜視図である。
【図２】本発明に係るメッセージカードの一実施形態を示すものであって、使用状態における一部を省略して拡大した側面断面図である。
【図３】本発明に係るメッセージカードの一実施形態を示すものであって、図（Ａ）は台紙の正面図、図（Ｂ）はカバーフィルムの正面図、図（Ｃ）は台紙にカバーフィルムを積層した使用状態におけるメッセージカードの正面図である。
【図４】本発明に係るメッセージカードの異なる実施形態を示すものであって、図（Ａ）は台紙の正面図、図（Ｂ）はカバーフィルムの正面図、図（Ｃ）は台紙にカバーフィルムを積層した使用状態におけるメッセージカードの正面図である。
【発明を実施するための形態】
【００１８】
図１〜図３に本発明に係るメッセージカードＭの一実施形態を示す。図１の図（Ａ）に示すように、メッセージカードＭは、台紙１と、台紙１の表面に一部が貼り付けられて積層されるカバーフィルム１０とを備える。
【００１９】
台紙１は、表面に、メッセージを書き込むことが可能なメッセージ領域１ａと、印刷によって形成された第１の意匠を呈する意匠層２とを有する。所望により、台紙１の裏面にも、書き込みが可能な領域や意匠を形成してもよい。台紙１は、書き込み時の保形性を備える材質で製作され、紙、不織布、プラスチック、金属、および、これらの複合材等を用いることができる。なお必要に応じ、台紙１の表面に、ペンや鉛筆による記入を可能にするための適宜加工を施してもよい。
【００２０】
カバーフィルム１０は、透明な基材シート層１１と、基材シート層１１の表面にスクラッチ印刷により形成され積層状態で少なくとも前記メッセージ領域１ａを覆う第２の意匠を呈する不透明なスクラッチ層１２と、基材シート層１１の裏面に形成された粘着剤より成る粘着剤層１３と、粘着剤層１３を覆う剥離可能な剥離シート層１４とを有する。
【００２１】
基材シート層１１は、透明性を有し、かつスクラッチ層を削り落とす際に破損するおそれのない機械的強度を有する素材で製作され、例えば、ポリエチレンテレフタレート・ポリブチレンテレフタレート・ポリエチレンナフタレートなどのポリエステル系樹脂、ポリアミド系樹脂、ポリ塩化ビニルなどのビニル系樹脂、アクリル系樹脂、イミド系樹脂、ポリアリレートなどのエンジニアリング樹脂、ポリカーボネート、環状ポリオレフィン系樹脂、セロファンなどのセルロース系フィルムなどを使用することができる。基材シート層１１の厚みは、１２〜３００μｍ程度が適当であり、より好ましくは２０〜６０μｍ程度であり、さらに好ましくは２５〜５０μｍ程度である。
【００２２】
スクラッチ層１２は、不透明で、かつコインや爪等を用いて比較的容易に削り取ることができる性質を備えた層であり、カバーフィルム１０を台紙１上に積層したときに、少なくとも台紙１のメッセージ領域１ａを覆い隠すことができる範囲に形成される。具体的には、遮蔽性の高い顔料、バインダ樹脂、および溶剤等を用いて混合、分散させてスクラッチ層形成用インキ組成物を製造し、これを用いて公知の印刷方法により形成される。なお所望により、染料や顔料を配合して、着色してもよい。スクラッチ層１２の形成に用いる高遮蔽性の顔料としては、例えばアルミニウム粉末・黄銅粉末・銅粉末等の金属系粉末、炭酸カルシウム、酸化亜鉛、アルミナ、二酸化チタン、シリカ、硫酸バリウム、タルク、カオリン、クレー、カーボンブラック、樹脂粉末等を使用できる。バインダ樹脂としては、基材との接着性を考慮して選択され、例えば、天然ゴム、塩酸ゴム等のゴム系天然樹脂、ポリブタジエン、スチレンーブタジエン共重合体、アクリロニトリルーブタジエン共重合体、ポリイソプレン、ポリクロロプレン、アクリル、塩化ビニル、塩化ビニル酢酸ビニル共重合体等を使用することができる。スクラッチ層１２の厚みは、１０〜３０μｍ程度が適当であり、より好ましくは１５〜２５μｍ程度である。
【００２３】
粘着剤層１３は、透明で、カバーフィルム１０を台紙１に貼りつけるためのものであり、例えば、アクリル系粘着剤、天然ゴム系粘着剤、合成ゴム系粘着剤、シリコーンゴム系粘着剤等の粘着剤で形成される。粘着剤層１３の厚みは、５〜４０μｍ程度が適当である。
【００２４】
剥離シート層１４は、ポリエチレンテレフタレート、ポリプロピレンなどのプラスチックフィルムにフッ素樹脂やシリコーン樹脂等を塗布して、剥離性を付与したものが適宜使用される。剥離シート層１４の厚みは、１２〜２００μｍ程度が適当である。
【００２５】
カバーフィルム１０の一部１５は、あらかじめ台紙１の表面に取り付けられる。これは、例えば、剥離シート層１４の一部を切除して一部だけ露出させた粘着剤層１３によって、台紙１の表面に貼り付けることが考えられる。
【００２６】
次に、このように構成されたメッセージカードＭの使用態様について説明する。使用者は、台紙１のメッセージ領域１ａに、ペンや鉛筆などの適当な筆記具を用いてメッセージを記入した後、図１の図（Ａ）に仮想線で示すように、カバーフィルム１０の剥離シート層１４を除去して、粘着剤層１３を露出させる。そして、図２に示すように、カバーフィルム１０を台紙１の上に重ね合わせた後、その表面上に適度の圧力を作用させる。これによって、カバーフィルム１０が台紙１上に積層され、かつ容易には剥離しない積層状態が得られる。このとき、カバーフィルム１０表面のスクラッチ層１２が、台紙１のメッセージ領域１ａを覆い隠すので、メッセージカードＭは、記載されたメッセージ内容が読み取られない遮蔽状態になる。
【００２７】
使用者は、このメッセージカードＭをメッセージ内容を伝えたい人物に渡す。渡された人物は、メッセージカードＭのスクラッチ層１２を、爪先または硬貨などを用いて削り取る。これにより、台紙１のメッセージ領域１ａに記載されているメッセージ内容を、透明な基材シート層１１および粘着剤層１３を通して視認することが可能となる。
【００２８】
本実施形態のメッセージカードＭは、図３，４に例示する如く、台紙１の表面に第１の意匠Ｄ１を呈する意匠層２が形成され、カバーフィルム１０のスクラッチ層１２が第２の意匠Ｄ２を呈するように形成され、かつカバーフィルム１０と台紙１との積層状態において、台紙１の第１の意匠Ｄ１とスクラッチ層１２の第２の意匠Ｄ２とによって、統一意匠Ｄ３が呈示されることを特徴としている。
【００２９】
図３に例示するメッセージカードＭは、図（Ａ）に示すように、台紙１に表された第１の意匠Ｄ１が、ピストルを構えた男性のシルエットであり、図（Ｂ）に示すように、メッセージ領域１ａを覆うスクラッチ層１２が表す第２の意匠Ｄ２が、ガラス等に生じたひび割れの図形である。そして台紙１とカバーフィルム１０との積層状態において、図（Ｃ）に示すように、第１の意匠Ｄ１と第２の意匠Ｄ２とが組み合わされて、男性が発射したピストルの銃弾によって、ガラスにひび割れが生じたことが表現される統一意匠Ｄ３が呈示される。
【００３０】
図４のメッセージカードＭは、図（Ａ）に示すように、台紙１に、壁の陰に佇む男性のシルエットと、この男性の影が窓にも延びている状態とが描かれた第１の意匠Ｄ１が表されている。なお、この例では、第１の意匠Ｄ１が表す窓の部分が、メッセージ領域１ａに相当している。一方、図（Ｂ）に示すように、スクラッチ層１２が表す第２の意匠Ｄ２は、メッセージ領域１ａに相当する窓を覆うカーテンを描いている。そして、台紙１とカバーフィルム１０とを重ね合わせると、図（Ｃ）に示すように、第１の意匠Ｄ１と第２の意匠Ｄ２とが組み合わされて、カーテンに覆われた窓を有する壁の陰に男性が佇んでいる場景を表す統一意匠Ｄ３が呈示される。さらに本例では、スクラッチ層１２を削り取ってメッセージ領域１ａを露見させると、下に隠れていた男性の影が表れるという、意匠上の変化を得ることができる。
【００３１】
このように本発明に係るメッセージカードＭは、台紙１の第１の意匠Ｄ１と、スクラッチ層１２の第２の意匠Ｄ２との組み合わせによって、統一感を有し、まとまりを持つ統一意匠Ｄ３を呈示するので、従来よりもはるかに意匠性に富んだ製品を提供することができる。
【００３２】
［その他の実施形態］
本発明に係るメッセージカードＭの実施形態は、前述の実施形態に限定されない。例えば、基材シート層１１に、印刷によって、第３の意匠を呈する印刷層をさらに形成し、台紙１とカバーフィルム１０との積層状態において、台紙１の第１の意匠、スクラッチ層１２の第２の意匠、および基材シート層１１の第３の意匠によって、統一意匠が呈示されるように構成してもよい。これにより、基材シート層１１の第３の意匠と、台紙１の第１の意匠およびスクラッチ層１２による第２の意匠との組み合わせによって統一意匠を呈示するから、メッセージカードＭのデザイン性を一層高めることができる。
【００３３】
また、剥離シート層１４に、印刷によって、第４の意匠を呈する印刷層を更に形成してもよい。剥離シート層１４の第４の意匠は、メッセージカードＭを使用する際に、剥離シート層１４が剥離されると同時に、メッセージカードＭから除去される。したがって、メッセージカードＭの使用前後で、意匠に大きな変化を与えることが可能であるという利点を有する。
【００３４】
台紙１の裏面に印刷層を設けて、台紙１裏面に機能を付加したり、用途を追加したりしてもよい。たとえば、台紙１裏面に情報表示機能を付加する例として、台紙１の裏面に印刷により、メッセージカードの使用方法、使用時の注意書き、製造者または販売者の住所・名称などの各種情報を表示させることが考えられる。また書き込み欄としての用途を追加する例として、印刷により、メッセージカードの差出人または受取人の氏名を書き込む記入欄を形成してもよい。さらには、台紙１裏面に、住所・氏名・郵便番号の記入欄および切手貼付欄を形成して、メッセージカードを葉書として使用可能にすることも考えられる。
【００３５】
なお、図面には、正面形状が長方形のメッセージカードＭを例示したが、円形、三角形、六角形など、他の形状にしてもよい。その他、本発明は、実施の状況に応じて、種々変更することが可能である。
【符号の説明】
【００３６】
Ｍ  メッセージカード
１  台紙
１ａ  メッセージ領域
２  意匠層
１０  カバーフィルム
１１  基材シート層
１２  スクラッチ層
１３  粘着剤層
１４  剥離シート層
Ｄ１  第１の意匠
Ｄ２  第２の意匠
Ｄ３  統一意匠
【図１】
2017080968.tif 000003
【図２】
2017080968.tif 000004
【図３】
2017080968.tif 000005
【図４】
2017080968.tif 000006